(57)【特許請求の範囲】
【請求項１】
電源を供給するアダプタと少なくとも一つの線を介して接続できるように構成される無線電力送信装置が、前記無線電力送信装置に備えた少なくとも一つの送信コイルを用いてＩＤ要求信号を送信する段階と、
前記無線電力送信装置が、前記ＩＤ要求信号の応答信号を前記少なくとも一つの送信コイルを用いて受信する段階と、
前記無線電力送信装置が、前記応答信号に基づいて無線電力受信装置を確認する段階と、
前記無線電力送信装置が、前記アダプタから受信した直流電圧及び前記少なくとも一つの送信コイルを用いて無線電力信号を前記無線電力受信装置に送信する段階と、
前記無線電力送信装置が、前記無線電力受信装置から前記無線電力受信装置に備えたバッテリの充電状態情報及び充電電圧情報を含む充電状態信号を前記少なくとも一つの送信コイルを用いて受信する段階と、
前記無線電力送信装置が、前記バッテリの前記充電状態情報及び前記充電電圧情報に基づいてパワーアップ信号及びパワーダウン信号の少なくとも一方を含む電圧変更通信信号を前記少なくとも一つの線を用いて前記アダプタに送信し、前記無線電力受信装置によって要求される電力値を有する電力信号の送出のための電力制御信号を前記無線電力送信装置に備えた駆動ドライバに送信する段階と、
前記無線電力送信装置が、前記パワーアップ信号及び前記パワーダウン信号の少なくとも一方に従って変更された直流電圧を前記アダプタから受信する段階と、
を含み、
前記無線電力送信装置は、円形コイルと四角形コイルとが結合された形態の送信コイルを含み、
前記四角形コイルは、前記円形コイルの外側に配置され、前記無線電力受信装置が電力を受信できないデッドゾーンを減少させる、
無線電力送信システムにおける電力制御方法。
【請求項２】
前記アダプタと前記無線電力送信装置とは、プラス線、グランド線、及び通信線で接続され、
前記無線電力送信装置は、前記電圧変更通信信号として振幅変調信号又はシリアル通信信号を前記通信線を介して前記アダプタに送信する、請求項１に記載の無線電力送信システムにおける電力制御方法。
【請求項３】
前記アダプタと前記無線電力送信装置とは、プラス線及びグランド線で接続され、
前記無線電力送信装置は、ＤＣ変調方式で前記プラス線を介して前記電圧変更通信信号を前記アダプタに送信する、請求項１に記載の無線電力送信システムにおける電力制御方法。
【請求項４】
前記無線電力送信装置は、第１送信コイル及び第２送信コイルを含み、
前記無線電力信号は、前記第１送信コイル及び前記第２送信コイルの中で前記無線電力受信装置が感知された送信コイルにより前記無線電力受信装置に送信される、請求項１から請求項３の何れか１項に記載の無線電力送信システムにおける電力制御方法。
【請求項５】
前記アダプタは、前記パワーアップ信号及び前記パワーダウン信号の少なくとも一方に従って前記アダプタのオフセット電圧を調整して、前記直流電圧の大きさを変更する段階を含む、請求項１から請求項４の何れか１項に記載の無線電力送信システムにおける電力制御方法。
【請求項６】
電源を供給するアダプタと少なくとも一つの線を介して接続できるように構成される無線電力送信装置において、
前記無線電力送信装置に接続された前記アダプタから出力される直流電圧を用いて無線電力信号を無線電力受信装置に送信する少なくとも一つの送信コイルと、
前記少なくとも一つの送信コイルを用いてＩＤ要求信号を送信し、前記ＩＤ要求信号の応答信号を前記少なくとも一つの送信コイルを用いて受信し、前記応答信号に基づいて無線電力受信装置を確認し、前記無線電力受信装置から前記無線電力受信装置に備えたバッテリの充電状態情報及び充電電圧情報を含む充電状態信号を前記少なくとも一つの送信コイルを用いてを受信し、前記バッテリの前記充電状態情報及び前記充電電圧情報に基づいて前記直流電圧の大きさを変更するためのパワーアップ信号及びパワーダウン信号の少なくとも一方を含む電圧変更通信信号を前記少なくとも一つの線を用いて前記アダプタに送信し、前記無線電力受信装置によって要求される電力値を有する電力信号の送出のための電力制御信号を前記無線電力送信装置に備えた駆動ドライバに送信し、前記アダプタから前記パワーアップ信号及び前記パワーダウン信号の少なくとも一方に従って変更された大きさの直流電圧を受信するように制御する送信制御部と、
を含み、
前記少なくとも一つの送信コイルは、円形コイルと四角形コイルとが結合された形態であり、
前記四角形コイルは、前記円形コイルの外側に配置され、前記無線電力受信装置が電力を受信できないデッドゾーンを減少させる、
無線電力送信装置。
【請求項７】
前記アダプタと前記無線電力送信装置とは、プラス線、グランド線、及び通信線で接続され、
前記送信制御部は、前記電圧変更通信信号として振幅変調信号又はシリアル通信信号を前記通信線を介して前記アダプタに送信する、請求項６に記載の無線電力送信装置。
【請求項８】
前記アダプタと前記無線電力送信装置とは、プラス線及びグランド線で接続され、
前記送信制御部は、ＤＣ変調方式で前記プラス線を介して前記電圧変更通信信号を前記アダプタに送信する、請求項６に記載の無線電力送信装置。
【請求項９】
前記アダプタは、
前記電圧変更通信信号を受信する通信制御部と、
前記通信制御部から前記電圧変更通信信号を受信して前記直流電圧を制御する出力電圧制御部と、
を含み、
前記出力電圧制御部は、前記パワーアップ信号及び前記パワーダウン信号の少なくとも一方に従って前記アダプタのオフセット電圧を調整して、前記直流電圧の大きさを変更する、請求項６から請求項８の何れか１項に記載の無線電力送信装置。
【請求項１０】
前記無線電力送信装置は、第１送信コイル及び第２送信コイルを含み、
前記送信制御部は、前記第１送信コイル及び前記第２送信コイルの中で前記無線電力受信装置が感知された送信コイルを用いて前記無線電力受信装置に前記無線電力信号を送信する、請求項６から請求項９の何れか１項に記載の無線電力送信装置。
【請求項１１】
前記送信制御部は、前記第１送信コイル及び前記第２送信コイルの負荷の変化に基づいて前記無線電力受信装置を感知する、請求項１０に記載の無線電力送信装置。
【発明の詳細な説明】
【技術分野】
【０００１】
本発明は、部品点数を減らして製造コストを低減することのできる、無線電力送信アセンブリにおける電力制御方法及び無線電力送信アセンブリに関する。
【背景技術】
【０００２】
一般に、バッテリパックは、外部の充電器から電力（電気エネルギー）が供給されて充電された状態で携帯用端末機（携帯電話、ＰＤＡなど）の動作のための電源を供給するためのものであって、電気エネルギーを充電するバッテリセル、前記バッテリセルの充電及び放電（携帯用端末機への電気エネルギーの供給）のための回路などから構成されている。
【０００３】
このように携帯用端末機に用いられるバッテリパックと当該バッテリパックに電気エネルギーを充電するための充電器との電気的接続方式には、供給された商用電源をバッテリパックに対応する電圧及び電流に変換して当該バッテリパックの端子を介してバッテリパックに電気エネルギーを供給する端子供給方式がある。
【発明の概要】
【発明が解決しようとする課題】
【０００４】
しかし、このような端子供給方式で電源を供給する場合は、充電器からバッテリパックを接離する際に、充電器の端子とバッテリパックの端子との電位差により瞬間放電現象が起こるという問題があった。
【０００５】
特に、瞬間放電現象などにより両端子（充電器の端子及びバッテリパックの端子）に異物が付着すると火災などが発生する恐れがあった。
【０００６】
また、湿気などによりバッテリパックに充電された電気エネルギーが当該バッテリパックの端子を介して外部に自然放電されるなどの問題があることはもちろん、これによりバッテリパックの寿命や性能の低下を招くという欠点があった。
【０００７】
近年、上記問題を解決するために、無線電力送信方式を用いた無接点方式の充電システム及び制御方法が提示されている。
【０００８】
本発明は、部品点数を減らして製造コストを低減し、無線電力送信効率を向上させることのできる、無線電力送信アセンブリにおける電力制御方法及び無線電力送信アセンブリを提供するためのものである。
【課題を解決するための手段】
【０００９】
上記課題を解決するために、本発明の一実施形態による無線電力送信アセンブリにおける電力制御方法は、アダプタが交流電源を直流電圧に変更して無線電力送信装置に出力する段階と、前記無線電力送信装置が電圧変更通信信号を前記アダプタに送信すると、それに基づいて前記アダプタが前記直流電圧の大きさを変更する段階とを含んでもよい。
【００１０】
本発明の一実施形態の一態様によれば、前記アダプタと前記無線電力送信装置とは、プラス線、グランド線、及び通信線で接続され、前記無線電力送信装置が電圧変更通信信号を前記アダプタに送信すると、それに基づいて前記アダプタが前記直流電圧の大きさを変更する段階は、前記無線電力送信装置が前記通信線を介して振幅変調信号又はシリアル通信信号を送信し、当該振幅変調信号又はシリアル通信信号に基づいて、前記アダプタが前記直流電圧の大きさを変更する段階を含んでもよい。
【００１１】
本発明の一実施形態の一態様によれば、前記電圧変更通信信号は、無線電力受信装置における充電状態信号に基づくパワーアップ信号及びパワーダウン信号の少なくとも一方を含んでもよい。
【００１２】
本発明の一実施形態の一態様によれば、前記無線電力送信装置は、第１送信コイル及び第２送信コイルを含み、前記無線電力送信アセンブリにおける電力制御方法は、前記第１送信コイル及び前記第２送信コイルの一方により前記無線電力受信装置が感知される段階と、前記感知された送信コイルにより前記電圧変更通信信号を送信する段階とをさらに含んでもよい。
【００１３】
本発明の一実施形態の一態様によれば、前記アダプタと前記無線電力送信装置とは、プラス線及びグランド線で接続され、前記無線電力送信装置が電圧変更通信信号を前記アダプタに送信すると、それに基づいて前記アダプタが前記直流電圧の大きさを変更する段階は、ＤＣ変調方式で前記プラス線を介して昇圧要求信号又は減圧要求信号を送信する段階を含んでもよい。
【００１４】
本発明の一実施形態の一態様によれば、前記無線電力送信装置が電圧変更通信信号を前記アダプタに送信すると、それに基づいて前記アダプタが前記直流電圧の大きさを変更する段階は、前記アダプタのオフセット電圧を調整して、前記直流電圧の大きさを変更する段階を含んでもよい。
【００１５】
本発明の他の実施形態による無線電力送信アセンブリは、交流電源を直流電圧に変更して出力するアダプタと、前記アダプタから出力される直流電圧を用いて無線電力信号を無線電力受信装置に送信する無線電力送信装置とを含み、前記無線電力送信装置の送信制御部は、前記直流電圧の大きさを変更するための電圧変更通信信号を前記アダプタに送信し、前記アダプタの前記直流電圧の大きさを変更するようにしてもよい。
【００１６】
本発明の他の実施形態の一態様によれば、前記アダプタと前記無線電力送信装置とは、プラス線、グランド線、及び通信線で接続され、前記送信制御部は、前記通信線を介して振幅変調信号又はシリアル通信信号を送信し、当該振幅変調信号又はシリアル通信信号に基づいて、前記アダプタが前記直流電圧の大きさを変更するようにしてもよい。
【００１７】
本発明の他の実施形態の一態様によれば、前記アダプタは、前記電圧変更通信信号を受信する通信制御部と、前記通信制御部から前記電圧変更通信信号を受信して前記直流電圧を制御する出力電圧制御部とを含んでもよい。
【００１８】
本発明の他の実施形態の一態様によれば、前記電圧変更通信信号は、前記無線電力受信装置における充電状態信号に基づくパワーアップ信号及びパワーダウン信号の少なくとも一方を含んでもよい。
【００１９】
本発明の他の実施形態の一態様によれば、前記無線電力送信装置は、第１送信コイル及び第２送信コイルを含み、前記送信制御部は、前記第１送信コイル及び前記第２送信コイルの一方により前記無線電力受信装置を感知し、前記感知された送信コイルにより前記電圧変更通信信号を送信するようにしてもよい。
【００２０】
本発明の他の実施形態の一態様によれば、前記送信制御部は、前記第１送信コイル及び前記第２送信コイルの負荷変調により、前記無線電力受信装置を感知するようにしてもよい。
【００２１】
本発明の他の実施形態の一態様によれば、前記アダプタと前記無線電力送信装置とは、プラス線及びグランド線で接続され、前記送信制御部は、ＤＣ変調方式で前記プラス線を介して昇圧要求信号又は減圧要求信号を送信するようにしてもよい。
【００２２】
本発明の他の実施形態の一態様によれば、前記送信制御部は、前記アダプタのオフセット電圧を調整して、前記直流電圧の大きさを変更するようにしてもよい。
【発明の効果】
【００２３】
前述の構成を有する本発明による無線電力送信アセンブリにおける電力制御方法及び無線電力送信アセンブリにおいては、アダプタの出力電圧を無線電力送信装置が直接制御することにより、部品点数を減らして製造コストを低減し、無線電力送信効率を向上させることができる。
【図面の簡単な説明】
【００２４】
【図１ａ】本発明の一実施形態に係る無線電力送信システムの構成を示すブロック図である。
【図１ｂ】本発明の一実施形態による無線電力送信アセンブリのアダプタの構成を示すブロック図である。
【図２】本発明の一実施形態による無線電力送信アセンブリにおける電力制御方法を説明するためのフローチャートである。
【図３ａ】本発明の一実施形態による無線電力アセンブリにおける無線電力送信装置とアダプタの接続関係を説明するための図である。
【図３ｂ】本発明の一実施形態による無線電力アセンブリにおける無線電力送信装置とアダプタの接続関係を説明するための図である。
【図４ａ】本発明の一実施形態による無線電力送信装置に用いられる複数のコイルの構造の一例を示す図である。
【図４ｂ】本発明の一実施形態による無線電力送信装置に用いられる複数のコイルの構造の他の例を示す図である。
【図５ａ】本発明の一実施形態による無線電力送信装置に用いられる複数のコイルを収容する遮蔽コアの平面図である。
【図５ｂ】本発明の一実施形態による無線電力送信装置に用いられる複数のコイルを収容する遮蔽コアの斜視図である。
【発明を実施するための形態】
【００２５】
以下、本発明の一実施形態による無線電力送信アセンブリにおける電力制御方法及び無線電力送信アセンブリについて添付図面を参照して詳細に説明する。以下の説明で用いられる構成要素の接尾辞である「モジュール」及び「部」は、明細書の作成を容易にするために付与又は混用されるものであり、それ自体が有意性や有用性を有するものではない。
【００２６】
図１ａは、本発明の一実施形態に係る無線電力送信システムの構成を示すブロック図である。同図に示すように、本発明の一実施形態に係る無線電力送信システムは、無線電力送信装置１００及びアダプタ（ＡＣ／ＤＣコンバータ）３００を含む無線電力送信アセンブリと、無線電力受信装置２００とを含む。すなわち、電磁誘導方式により、無線電力送信装置１００が、アダプタ３００を介して受信した直流電圧を無線電力信号に変更して無線電力受信装置２００に送信すると、前記無線電力信号を受信した無線電力受信装置２００は、前記無線電力信号の電力でバッテリを充電したり、無線電力受信装置２００に接続された電子機器に電源を供給する。
【００２７】
以下、無線電力送信装置１００及び無線電力受信装置２００の構成についてそれぞれ説明する。
【００２８】
本発明の一実施形態による無線電力送信装置１００は、送信コイル（１次側コイル）１１０と送信制御部１２０とを含む。ここで、送信コイル１１０は、電磁誘導方式で電力信号を無線電力受信装置２００の受信コイル２１０に送信するための装置であって、本実施形態においては、２つのコイル（すなわち、第１送信コイル１１１及び第２送信コイル１１２）が適用される。
【００２９】
第１送信コイル１１１及び第２送信コイル１１２の形態については図３を参照して詳細に説明する。
【００３０】
さらに図１ａを参照すると、送信コイル１１０を制御する送信制御部１２０は、オブジェクト感知部１２１、中央制御部１２２、スイッチング制御部１２３、駆動ドライバ１２４、及び直列共振形コンバータ１２５を含んでもよい。
【００３１】
オブジェクト感知部１２１は、送信コイル１１０の負荷の変化を感知し、その負荷の変化で感知されたオブジェクトが無線電力受信装置２００であるか否かを判断する（すなわち、ＩＤ確認部としての機能を有する）だけでなく、無線電力受信装置２００から受信した充電状態信号をフィルタリングして処理する機能を果たす。つまり、オブジェクト感知部１２１は、送信コイル１１０で受信されるＩＤ確認信号（ＩＤ要求信号の応答信号）をフィルタリングして処理し、その後、送信コイル１１０で受信される充電状態信号をフィルタリングして処理する機能を果たす。
【００３２】
中央制御部１２２は、オブジェクト感知部１２１の判断結果を受けて確認し、送信コイル１１０で受信されるＩＤ確認信号及び充電状態信号を分析し、送信コイル１１０から無線電力信号を送出するための電力信号を駆動ドライバ１２４に送る役割を果たす。また、中央制御部１２２は、後述するアダプタ３００の出力電圧を調整するために、電圧変更通信信号をアダプタ３００に送信する。
【００３３】
すなわち、中央制御部１２２は、オブジェクト感知部１２１によりフィルタリングされたデータ信号を分析処理し、それに基づいて駆動ドライバ１２４を制御し、また、アダプタ３００の出力電圧を制御する。
【００３４】
スイッチング制御部１２３は、直列共振形コンバータ１２５と第１送信コイル１１１及び第２送信コイル１１２との間に位置するスイッチのスイッチング動作を制御する。
【００３５】
駆動ドライバ１２４は、中央制御部１２２の制御により、直列共振形コンバータ１２５の動作を制御する。
【００３６】
直列共振形コンバータ１２５は、駆動ドライバ１２４の制御により、送出しようとする電力信号を発生するための送出電源を生成し、送信コイル１１０に供給する。つまり、中央制御部１２２が、要求される電力値を有する電力信号の送出のための電力制御信号を駆動ドライバ１２４に送ると、駆動ドライバ１２４は、その送られた電力制御信号に基づいて直列共振形コンバータ１２５の動作を制御し、直列共振形コンバータ１２５は、駆動ドライバ１２４の制御により、要求される電力値に対応する送出電源を送信コイル１１０に印加して、要求される強度の無線電力信号が送出されるようにする。ここで、生成される無線電力信号の大きさは、アダプタ３００の出力電圧により調節することができ、送信制御部１２０は、電圧変更通信信号を有線又は無線でアダプタ３００に送信して、アダプタ３００の出力電圧を変更する。
【００３７】
また、直列共振形コンバータ１２５は、駆動ドライバ１２４の制御により、第１送信コイル１１１及び第２送信コイル１１２からそれぞれ第１オブジェクト感知信号及び第２オブジェクト感知信号を発生するための電源を供給する役割を果たす。
【００３８】
一方、電力信号を受信して電力の供給を受ける無線電力受信装置２００は、受信した電力信号により誘導電力を生成する受信コイル２１０と、生成された誘導電力を整流する整流部２２０と、整流された電力でバッテリセルを充電するバッテリセルモジュール２３０とを含む。
【００３９】
バッテリセルモジュール２３０には、過電圧及び過電流防止回路、温度感知回路などの保護回路が含まれ、また、バッテリセルの充電状態などの情報を収集及び処理する充電管理モジュールが含まれる。
【００４０】
一方、アダプタ３００は、２２０Ｖ又は１１０Ｖの交流商用電源を可変の直流電圧に変換する装置であって、前述のように、中央制御部１２２の電圧変更要求信号によりオフセット電圧を変更して、出力電圧を変更する。図１ｂを参照してアダプタ３００についてより詳細に説明する。
【００４１】
アダプタ３００は、通信制御部３１０と出力電圧制御部３２０とを含む。
【００４２】
通信制御部３１０は、無線電力送信装置１００の送信制御部１２０から電圧変更通信信号を受信する役割を果たす。そして、通信制御部３１０は、受信した前記電圧変更通信信号をフィルタリングし、出力電圧制御部３２０に送る。
【００４３】
出力電圧制御部３２０は、前記電圧変更通信信号に基づいて、無線電力送信装置１００に出力される直流電圧値を変更する。すなわち、出力電圧制御部３２０は、前記電圧変更通信信号に基づいて出力直流電圧を昇圧又は減圧することにより、無線電力送信装置１００が適切な電力信号を送信できるようにする。
【００４４】
このように、アダプタ３００の出力電力を無線電力送信装置１００が直接制御することにより、部品点数を減らして製造コストを低減し、無線電力送信効率を向上させることができる。
【００４５】
以下、前述の構成を有する本発明の一実施形態による無線電力送信アセンブリにおける電力制御方法について図２を参照して詳細に説明する。
【００４６】
図２は、本発明の一実施形態による無線電力送信アセンブリにおける電力制御方法を説明するためのフローチャートである。
【００４７】
同図に示すように、まず、無線電力送信装置１００の送信コイル１１０が位置する充電位置に外部オブジェクトが位置すると、それに伴う送信コイル１１０の負荷の変化を感知し、前記外部オブジェクトに対してＩＤ要求信号を送信する（Ｓ１、Ｓ３）。前記外部オブジェクトが無線電力受信装置２００の場合、無線電力受信装置２００は、前記ＩＤ要求信号に対するＩＤ応答信号を無線電力送信装置１００に送信する（Ｓ５）。ＩＤ応答信号を受信した無線電力送信装置１００は、当該ＩＤ応答信号により前記外部オブジェクトが無線電力受信装置２００であることを確認し、送信コイル１１０から無線電力信号を送信する（Ｓ７）。ここで、送信コイルが２つの場合、送信制御部１２０は、２つの送信コイルのいずれのコイルに無線電力受信装置２００が位置するかを確認し、その確認されたコイルから無線電力信号を送信する。より詳細には、２つの送信コイルに交代でＩＤ要求信号を送った後、ＩＤ確認信号が受信されるコイルを前記確認されたコイルとして認知する。
【００４８】
次に、前記無線電力信号を受信した無線電力受信装置２００は、前記無線電力信号を整流部２２０により整流し、整流された電源を利用してバッテリを充電する（Ｓ９）。
【００４９】
無線電力受信装置２００は、バッテリが充電されることにより、充電電圧情報及びバッテリ充電状態情報を含む充電状態信号を、無線電力受信装置２００の受信コイル２１０から無線電力送信装置１００に送信する（Ｓ１１）。そして、無線電力送信装置１００は、前記充電状態信号に基づいて、アダプタ３００に電圧変更通信信号を送信する。前記電圧変更通信信号は、無線電力受信装置２００の充電状態信号に基づくパワーアップ信号、パワーダウン信号、満充電信号、充電エラー信号のいずれか１つでもよい。
【００５０】
これにより、無線電力信号の変更が必要となると、無線電力送信装置１００は、電圧変更通信信号をアダプタ３００に送信する（Ｓ１３）。ここで、電圧変更通信信号は、通信線で送信してもよく、プラス線で送信してもよい。これについては後述する。
【００５１】
前記電圧変更通信信号を受信したアダプタ３００は、電圧オフセットを変更して出力電圧を上昇又は下降させる（Ｓ１５）。これにより、前記無線電力信号が変更され、従って、適切な充電が継続される（Ｓ１７、Ｓ１９）。
【００５２】
前述の構成を有する本発明の一実施形態によれば、アダプタ３００の出力電力を無線電力送信装置１００が直接制御することにより、部品点数を減らして製造コストを低減し、無線電力送信効率を向上させることができる。
【００５３】
以下、本発明の一実施形態による無線電力アセンブリにおける無線電力送信装置とアダプタの接続関係について図３を参照して詳細に説明する。
【００５４】
図３ａ及び図３ｂは、本発明の一実施形態による無線電力アセンブリにおける無線電力送信装置とアダプタの接続関係を説明するための図である。
【００５５】
図３ａを参照すると、アダプタ３００と無線電力送信装置１００とが３線で接続されている。同図に示すように、アダプタ３００と無線電力送信装置１００とは、プラス線４０１、グランド線４０２、及び通信線４０３で接続される。この場合、無線電力送信装置１００の送信制御部１２０は、通信線４０３を介して、電圧変更通信信号として振幅変調信号をアダプタ３００に送信する。あるいは、無線電力送信装置１００の送信制御部１２０は、通信線４０３を介して、電圧変更通信信号としてワンワイヤシリアル通信信号をアダプタ３００に送信することもできる。前記振幅変調信号又はシリアル通信信号を受信したアダプタ３００の電圧オフセットを調整することにより、出力電圧の大きさが変更される。
【００５６】
図３ｂを参照すると、アダプタ３００と無線電力送信装置１００とが２線で接続されている。同図に示すように、アダプタ３００と無線電力送信装置１００とは、プラス線４０１及びグランド線４０２で接続される。この場合、無線電力送信装置１００の送信制御部１２０は、プラス線４０１を介して、ＤＣ変調により電圧変更信号である昇圧要求信号又は減圧要求信号を送信する。すると、前記要求信号を受信したアダプタ３００は、通信制御部３１０により当該要求信号を解析し、その後、出力電圧制御部３２０により出力電圧の大きさを変更する。
【００５７】
以下、前記複数の送信コイルの例を図４ａ及び図４ｂを参照して詳細に説明する。
【００５８】
図４ａ及び図４ｂは、本発明の一実施形態による複数のコイルを備える無線電力送信装置１００のコイル構造の例を示す図である。
【００５９】
図４ａに示すように、本発明の一実施形態による複数のコイルを備える無線電力送信装置１００において、第１送信コイル１１１及び第２送信コイル１１２は、重畳領域を有し、同一の形状及び大きさを有するようにしてもよい。同図に示すように、第１送信コイル１１１及び第２送信コイル１１２は楕円形コイルでもよい。
【００６０】
一方、図４ｂに示すように、第１送信コイル１１１及び第２送信コイル１１２は、それぞれ円形コイルと四角形コイルとが結合された形態でもよい。すなわち、同図に示すように、第１送信コイル１１１及び第２送信コイル１１２は、円形コイル１１１−１、１１２−１が内側に形成され、四角形コイル１１１−２、１１２−２が円形コイル１１１−１、１１２−１の外側に配置される。
【００６１】
図４ｂに示すような送信コイルは、円形コイルの利点である電力送信効率性と、四角形コイルの利点である移動性を共に備えるため、無線電力受信装置２００が電力を受信できない領域であるデッドゾーンを減らすと共に、電力送信効率性を維持することができる。
【００６２】
以下、図４ａに用いられる楕円形コイルを挿入するための送信側遮蔽コアについて図５を参照して詳細に説明する。
【００６３】
図５ａ及び図５ｂは、本発明の一実施形態による複数のコイルを備える無線電力送信装置１００に用いられる、複数のコイルを収容する遮蔽コア１４０の斜視図及び平面図である。同図に示すように、遮蔽コア１４０は、矩形平板状に形成され、第１コイル１１１を挿入するための第１凹部１４１、及び第２送信コイル１１２を挿入するための第２凹部１４２が形成される。同図に示すように、第１凹部１４１と第２凹部１４２とは段差を有するように形成される。また、各凹部１４１、１４２の側面と中央には、リード線を挿入するための孔１４１−１、１４２−１が形成され、各凹部１４１、１４２の中央には、前記送信コイルを固定するための固定部（突出部）１４１−２、１４２−２が形成される。ここで、遮蔽コア１４０は、非晶質フェライト系、Ｍｎ−Ｚｎ（５０重量部：５０重量部）、Ｎｉ−Ｆｅ（８０重量部：２０重量部）、又はファインメタル（fine-metal）（Ｆｅ−Ｓｉ−Ｃｕ−Ｎｂ）の少なくとも１つを含むようにしてもよい。
【００６４】
このような遮蔽コアにより、第１送信コイル１１１及び第２送信コイル１１２から発生する磁場により無線電力送信装置１００の送信制御部１２０が故障することを防止するだけでなく、電力送信効率を向上させることができる。
【００６５】
前述の構成を有する本発明の一実施形態による無線電力送信アセンブリにおける電力制御方法及び無線電力送信アセンブリにおいては、アダプタの出力電圧を無線電力送信装置が直接制御することにより、部品点数を減らして製造コストを低減し、無線電力送信効率を向上させることができる。
【００６６】
本発明による無線電力送信アセンブリにおける電力制御方法及び無線電力送信アセンブリは、上記実施形態の構成と方法に限定されるものではなく、各実施形態の全部又は一部を選択的に組み合わせて構成することで様々に変形することができる。
【符号の説明】
【００６７】
１００  無線電力送信装置
１１１  第１送信コイル
１１２  第２送信コイル
１２０  送信制御部
１２１  オブジェクト感知部
１２２  中央制御部
１２３  スイッチング制御部
１２４  駆動ドライバ
１２５  直列共振形コンバータ
２００  無線電力受信装置
２１０  受信コイル
２２０  整流部
２３０  バッテリセルモジュール
３００  アダプタ（ＡＣ／ＤＣコンバータ）
【図１ａ】
0006283155.tif 000002
【図１ｂ】
0006283155.tif 000003
【図２】
0006283155.tif 000004
【図３ａ】
0006283155.tif 000005
【図３ｂ】
0006283155.tif 000006
【図４ａ】
0006283155.tif 000007
【図４ｂ】
0006283155.tif 000008
【図５ａ】
0006283155.tif 000009
【図５ｂ】
0006283155.tif 000010